(57)【要約】【課題】天井面材について、電気配線が貫通している部分及びその周辺を好適な状態で維持する。【解決手段】建物においては、居住空間４１の上方に天井裏空間４２が設けられており、それら居住空間４１と天井裏空間４２とは天井面材２８により上下に仕切られている。天井面材２８には、電気配線Ｅを天井裏空間４２から下方に引き出すための配線孔７５が形成されている。天井面材２８の上には保護板部７６が重ねて設けられており、その保護板部７６には、配線孔７５と上下に連通する連通孔７７が形成されている。配線孔７５は、外壁部３１の上方に配置されており、電気配線Ｅは天井裏空間４２から配線孔７５を通じて外壁部３１の内部に引き込まれている。外壁部３１には、電気配線Ｅを引き出すための配線引き出し部７１が設けられており、その配線引き出し部７１にはコンセント等の壁付き機器７２が取り付けられている。【選択図】      図２
2014169594.tif 000002
【特許請求の範囲】
【請求項１】
居住空間と天井裏空間とを上下に仕切る天井面材を備え、
前記天井面材には、前記天井裏空間に敷設された電気配線を下方に引き出すための配線孔が設けられており、
前記天井裏空間には、前記天井面材における前記配線孔が形成された部分を保護する保護板部が、該天井面材に重ねて設けられており、
前記保護板部には、前記配線孔に通じる連通孔が設けられていることを特徴とする建物の天井構造。
【請求項２】
梁材に取り付けられ、前記天井面材を支持する天井下地を備え、
前記保護板部は、前記天井下地に横並びに配置され、該天井下地に固定されていることを特徴とする請求項１に記載の建物の天井構造。
【請求項３】
前記天井下地は、前記天井面材と前記梁材との間の隙間に沿って延びている野縁を有しており、
前記野縁は前記梁材の下面に固定され、前記保護板部は前記野縁の側面に固定されていることを特徴とする請求項２に記載の建物の天井構造。
【請求項４】
前記天井面材は、互いに直交している２つの梁材の下方に設けられており、
前記天井下地は、前記２つの梁材のうち一方の梁材と前記天井面材との間に設けられ該梁材に沿って延びている第１野縁と、他方の梁材と前記天井面材との間に設けられ該梁材に沿って延びている第２野縁とを有しており、
前記保護板部は、前記第１野縁及び前記第２野縁の両方と横並びになっており、それら第１野縁及び第２野縁の各側面に固定されていることを特徴とする請求項３に記載の建物の天井構造。
【請求項５】
前記保護板部の下面と前記天井面材の上面とは互いに接合されていることを特徴とする請求項１乃至４のいずれか１項に記載の建物の天井構造。
【請求項６】
請求項１乃至５のいずれか１項に記載の天井構造を備えている建物であって、
互いに離間して設けられた一対の壁面材を有する壁部を備え、
前記天井面材は、前記一対の壁面材のうち少なくとも一方の上方に配置されており、
前記天井裏空間は、前記配線孔及び連通孔を介して前記一対の壁面材の離間部分に通じており、
前記壁面材には、前記配線孔及び前記連通孔に通されている前記電気配線を前記一対の壁面材の間から引き出すことが可能な配線引き出し部が設けられていることを特徴とする建物。
【請求項７】
前記天井裏空間の周縁部に沿って延びている屋外側梁材を備え、
前記壁部は、前記居住空間と屋外とを仕切る外壁部であり、前記一対の壁面材のうち一方は前記居住空間側に配置された内壁面材とされ、他方は屋外側に配置された外壁面材とされており、
前記天井面材は、前記内壁面材の上方に配置され、前記屋外側梁材の下面と対向した状態で該屋外側梁材に固定されており、
前記配線孔は、壁厚み方向において前記屋外側梁材と前記内壁面材との間の位置に配置されていることを特徴とする請求項６に記載の建物。
【請求項８】
前記壁部は、前記居住空間と屋外とを仕切る外壁部であり、前記一対の壁面材のうち一方は前記居住空間側に配置された内壁面材とされ、他方は屋外側に配置された外壁面材とされており、
前記外壁部には壁開口部が前記天井面材よりも低い位置に設けられており、該壁開口部に対してサッシ枠が取り付けられており、
前記サッシ枠は、前記外壁部に沿って並べられた柱同士の間に設けられており、
前記外壁部は、
前記一対の壁面材の間に設けられた壁断熱部と、
前記壁断熱部と前記外壁面材との間に設けられた壁内空間と、
前記壁内空間において前記柱同士に掛け渡された状態で前記サッシ枠の上方に設けられ、前記外壁面材を支持する上方下地材と、
を有しており、
前記配線孔は、壁厚み方向において前記上方下地材と前記内壁面材との間の位置に設けられていることを特徴とする請求項６又は７に記載の建物。
【請求項９】
前記天井面材は、当該天井面材と前記天井裏空間の周縁部に沿って延びている屋外側梁材との間に設けられた天井下地を介して前記屋外側梁材に固定されており、
前記上方下地材は、前記天井面材の下面に重なり且つ該天井面材を介して前記天井下地に固定された天井側固定部を有しており、
前記天井側固定部は、前記上方下地材に沿って延びていることを特徴とする請求項８に記載の建物。
【発明の詳細な説明】
【技術分野】
【０００１】
本発明は、建物の天井構造及びその天井構造を備えている建物に関するものである。
【背景技術】
【０００２】
住宅等の建物において、外壁等の壁部にコンセント等の機器が取り付けられている場合、その壁部の内部には電気配線が敷設されている。電気配線が天井裏空間から壁部の内部に引き込まれている構成においては、電気配線を通すための孔が天井面材に形成されている（例えば特許文献１参照）。
【０００３】
この構成では、孔が天井面材において壁部と上下に重ならない位置に配置され、壁部が有する壁面材にも別の孔が形成されており、電気配線は天井面材の孔及び壁面材の孔の両方を通されることで天井裏空間から壁部の内部に引き込まれている。この場合、電気配線が下方に向けて引っ張られたとしても、その電気配線は壁面材の孔に引っ掛かることで天井面材の孔には引っ掛かりにくく、天井面材における孔の周辺部分は破損しにくくなっている。
【先行技術文献】
【特許文献】
【０００４】
【特許文献１】特開２０００−８４９１号公報
【発明の概要】
【発明が解決しようとする課題】
【０００５】
しかしながら、天井面材の孔が壁部の上方に配置されている場合、電気配線はその孔を通じて天井裏空間から壁部の内部に直接引き込まれることになり、その電気配線が下方に引っ張られた場合に、孔の周辺において電気配線が天井面材の上面に擦れてその天井面材が傷付いたり破損したりすることが懸念される。
【０００６】
本発明は、上記事情に鑑みてなされたものであり、天井面材について、電気配線が貫通している部分及びその周辺を好適な状態で維持することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物の天井構造は、居住空間と天井裏空間とを上下に仕切る天井面材を備え、前記天井面材には、前記天井裏空間に敷設された電気配線を下方に引き出すための配線孔が設けられており、前記天井裏空間には、前記天井面材における前記配線孔が形成された部分を保護する保護板部が、該天井面材に重ねて設けられており、前記保護板部には、前記配線孔に通じる連通孔が設けられていることを特徴とする。
【０００９】
第１の発明によれば、天井面材の上側に保護板部が設けられているため、天井面材の配線孔を通じて天井裏空間から下方に引き出されている電気配線が天井面材の上面に接触しにくくなっている。この場合、天井面材の配線孔に通された電気配線が下方に向けて引っ張られたとしても、配線孔の周辺において電気配線が天井面材の上面に擦れてその天井面材が傷付いたり破損したりすることを抑制できる。したがって、天井面材について、電気配線が貫通している部分及びその周辺を好適な状態で維持することができる。
【００１０】
なお、前記連通孔は、前記配線孔と上下に重なる位置に含まれていることが好ましい。この場合、天井面材が保護板部の連通孔の内側にはみ出していないため、天井面材の配線孔の内周面に電気配線が接触することを保護板部により規制できる。したがって、天井面材の上面に加えて配線孔の内周面を電気配線から好適に保護することができる。
【００１１】
第２の発明では、第１の発明において、梁材に取り付けられ、前記天井面材を支持する天井下地を備え、前記保護板部は、前記天井下地に横並びに配置され、該天井下地に固定されている。
【００１２】
第２の発明によれば、保護板部と天井面材とが天井下地を介して連結されているため、保護板部の位置が天井面材の配線孔に対してずれることを防止できる。また、保護板部の荷重が天井面材と天井下地に分散されるため、保護板部から天井面材にかかる荷重負担を低減できる。
【００１３】
第３の発明では、第２の発明において、前記天井下地は、前記天井面材と前記梁材との間の隙間に沿って延びている野縁を有しており、前記野縁は前記梁材の下面に固定され、前記保護板部は前記野縁の側面に固定されている。
【００１４】
第３の発明によれば、野縁が梁材の直下に設けられている構成において、保護板部が野縁に固定されているため、保護板部を梁材に対して強固に固定できる。この場合、保護板部により天井面材の配線孔部分を好適に補強できる。
【００１５】
第４の発明では、第３の発明において、前記天井面材は、互いに直交している２つの梁材の下方に設けられており、前記天井下地は、前記２つの梁材のうち一方の梁材と前記天井面材との間に設けられ該梁材に沿って延びている第１野縁と、他方の梁材と前記天井面材との間に設けられ該梁材に沿って延びている第２野縁とを有しており、前記保護板部は、前記第１野縁及び前記第２野縁の両方と横並びになっており、それら第１野縁及び第２野縁の各側面に固定されている。
【００１６】
第４の発明によれば、保護板部の２辺部が野縁にそれぞれ固定されるため、野縁により保護板部を好適に支持できる。また、この場合、保護板部は天井面材における隅角部分に対して設けられていることになる。ここで、天井面材の隅角部分に配線孔が形成されている構成では、天井面材における配線孔の周辺部分が欠けやすいと考えられるが、その隅角部分に対して保護板部が設けられていることで、配線孔の周辺部分が欠けることを保護板部により抑制できる。
【００１７】
第５の発明では、第１乃至第４のいずれかの発明において、前記保護板部の下面と前記天井面材の上面とは互いに接合されている。
【００１８】
第５の発明によれば、配線孔の周辺において天井面材が保護板部により補強された状態になっているため、仮に、電気配線が天井面材に接触したとしても、天井面材における配線孔の周辺部分が欠けることを抑制できる。
【００１９】
第６の発明の建物は、第１乃至第５のいずれかに記載の天井構造を備えている建物であって、互いに離間して設けられた一対の壁面材を有する壁部を備え、前記天井面材は、前記一対の壁面材のうち少なくとも一方の上方に配置されており、前記天井裏空間は、前記配線孔及び連通孔を介して前記一対の壁面材の離間部分に通じており、前記壁面材には、前記配線孔及び前記連通孔に通されている前記電気配線を前記一対の壁面材の間から引き出すことが可能な配線引き出し部が設けられていることを特徴とする。
【００２０】
第６の発明のように、壁部に配線引き出し部が設けられている構成では、電気配線を天井面材の配線孔から下方に引き出す際に、電気配線を下方に引っ張る力が天井面材に加えられないようにすることが困難になっており、壁部の配線引き出し部から電気配線を引き出すことで、天井面材における配線孔の周辺部分の傷付きや破損が生じやすいと考えられる。
【００２１】
これに対して、天井面材の上側には保護板部が設けられているため、壁部の配線引き出し部から電気配線が引き出される場合でも、天井面材における配線孔の周辺部分について天井面材の傷付きや破損が生じることを保護板部により抑制できる。
【００２２】
第７の発明では、第６の発明において、前記天井裏空間の周縁部に沿って延びている屋外側梁材を備え、前記壁部は、前記居住空間と屋外とを仕切る外壁部であり、前記一対の壁面材のうち一方は前記居住空間側に配置された内壁面材とされ、他方は屋外側に配置された外壁面材とされており、前記天井面材は、前記内壁面材の上方に配置され、前記屋外側梁材の下面と対向した状態で該屋外側梁材に固定されており、前記配線孔は、壁厚み方向において前記屋外側梁材と前記内壁面材との間の位置に配置されている。
【００２３】
外壁部の上方に屋外側梁材が設置されている構成では、屋外側梁材に孔を形成してその孔を通じて天井裏空間から外壁部の内部に電気配線を引き出すことが考えられるが、この場合、屋外側梁材に孔を形成するための作業工程が増えることが懸念される。また、一般的に、天井面材は野縁等の天井下地を介して屋外側梁材の下面に取り付けられており、天井面材と屋外側梁材との間の隙間に電気配線を通すことも難しいと考えられる。
【００２４】
これに対して、第７の発明によれば、天井面材の配線孔が屋外側梁材よりも屋内側に配置されているため、電気配線を通すための孔を屋外側梁材に形成する必要がない。ここで、天井面材及び保護板部に配線孔及び連通孔を形成する作業は、構造体である屋外側梁材に孔を形成する作業に比べて容易であり、電気配線を通すための孔を形成する工程を容易化できる。
【００２５】
しかも、保護板部を屋外側梁材よりも屋内側に配置することが可能になるため、例えば、保護板部を屋外側梁材と上下に重なる位置に配置する場合に比べて、保護板部の設置作業や連通孔の形成作業を容易化できる。
【００２６】
第８の発明では、第６又は第７の発明において、前記壁部は、前記居住空間と屋外とを仕切る外壁部であり、前記一対の壁面材のうち一方は前記居住空間側に配置された内壁面材とされ、他方は屋外側に配置された外壁面材とされており、前記外壁部には壁開口部が前記天井面材よりも低い位置に設けられており、該壁開口部に対してサッシ枠が取り付けられており、前記サッシ枠は、前記外壁部に沿って並べられた柱同士の間に設けられており、前記外壁部は、前記一対の壁面材の間に設けられた壁断熱部と、前記壁断熱部と前記外壁面材との間に設けられた壁内空間と、前記壁内空間において前記柱同士に掛け渡された状態で前記サッシ枠の上方に設けられ、前記外壁面材を支持する上方下地材と、を有しており、前記配線孔は、壁厚み方向において前記上方下地材と前記内壁面材との間の位置に設けられている。
【００２７】
外壁部において、サッシ枠の上方において上方下地材が柱同士に掛け渡されている構成では、上方下地材に孔を形成してその孔を通じて天井裏空間から外壁部の内部に電気配線を引き出すことが考えられるが、孔を形成することで上方下地材の強度が低下することが懸念される。
【００２８】
これに対して、第８の発明によれば、天井面材の配線孔が上方下地材よりも屋内側に配置されているため、電気配線を通すための孔を上方下地材に形成する必要がなく、その孔によって上方下地材の強度が低下するということを回避できる。
【００２９】
しかも、保護板部を上方下地材よりも屋内側に配置することが可能になるため、例えば、保護板部を上方下地材と上下に重なる位置に配置する場合に比べて、保護板部の設置作業や連通孔の形成作業を容易化できる。
【００３０】
なお、柱、天井大梁、床大梁を有する建物ユニットが複数組み合わされて構築されたユニット式建物であって、前記建物ユニットにおいて隣り合う柱の間に前記サッシ枠が配置され、前記天井面材の上方には、前記建物ユニットにおいて一の柱に接続された一対の天井大梁がそれぞれ設けられており、それら天井大梁のうち少なくとも一方が前記屋外側梁材であり、前記天井下地は、前記一対の天井大梁のそれぞれに沿って延びる状態で、それら天井大梁と前記天井面材との間に設けられており、前記保護板部は、前記天井下地における前記一対の天井大梁に沿って延びている各部分のそれぞれに対して固定されていることが好ましい。
【００３１】
この場合、保護板部の２辺部が天井下地にそれぞれ固定されるため、天井下地により保護板部を好適に支持できる。
【００３２】
第９の発明では、第８の発明において、前記天井面材は、当該天井面材と前記天井裏空間の周縁部に沿って延びている屋外側梁材との間に設けられた天井下地を介して前記屋外側梁材に固定されており、前記上方下地材は、前記天井面材の下面に重なり且つ該天井面材を介して前記天井下地に固定された天井側固定部を有しており、前記天井側固定部は、前記上方下地材に沿って延びている。
【００３３】
第９の発明では、上方下地材と天井面材との間の隙間が天井側固定部により塞がれているため、上方下地材と天井面材との間の隙間に電気配線を通すことが難しいと考えられる。このため、天井面材の配線孔が上方下地材よりも屋内側に配置されていることが好ましい。
【図面の簡単な説明】
【００３４】
【図１】建物ユニットの構成を示す斜視図
【図２】外壁部の屋内側正面図
【図３】外壁部の縦断面図
【図４】外壁部の横断面図
【図５】保護板部周辺の斜視図
【発明を実施するための形態】
【００３５】
以下、本発明を具体化した一実施形態について図面を参照しつつ説明する。本実施形態では、鉄骨ラーメン構造を有する２階建てのユニット式建物において、本発明の天井構造を具体化している。ユニット式建物は、複数の建物ユニットを組み合わせることで構築されており、まず、建物ユニットの構成について、図１を参照しつつ説明する。図１は建物ユニット２０の構成を示す斜視図である。
【００３６】
図１に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３７】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３８】
建物ユニット２０には、建物内空間と屋外とを仕切る外壁部３１が取り付けられている。外壁部３１は、建物ユニット２０における屋外側の側面部に配置されており、柱２１、天井大梁２２及び床大梁２３に固定されている。外壁部３１には、壁開口部としての窓部３２が形成されており、その窓部３２にはサッシ枠３３が設けられている。サッシ枠３３は、合成樹脂材料や金属材料などにより矩形枠状に形成されており、外壁部３１に取り付けられている。
【００３９】
サッシ枠３３は、建物ユニット２０の短辺部に設けられており、天井面材２８寄りの高さ位置に配置されたハイサッシとされている。サッシ枠３３は、高さ寸法よりも幅寸法が大きい横長形状になっている。サッシ枠３３は、隣り合う柱２１の間に配置され、それら柱２１の離間距離よりも小さい幅寸法を有しており、サッシ枠３３の幅方向において各柱２１からは離間している。サッシ枠３３は、その側辺部を形成する一対の縦枠部３３ａと、上辺部を形成する上枠部３３ｂと、下辺部を形成する下枠部３３ｃとを有しており、上枠部３３ｂ及び下枠部３３ｃは一対の縦枠部３３ａを連結している。
【００４０】
なお、建物ユニット２０においては、柱２１、天井大梁２２及び床大梁２３を含んでユニット躯体が形成されており、外壁部３１及びサッシ枠３３はユニット躯体に対して取り付けられている。この場合、ユニット躯体は建物の構造体に相当する。
【００４１】
外壁部３１の内部には電気配線が敷設されており、ここでは、建物における電気配線の敷設構造について、図２〜図４を参照しつつ説明する。図２は外壁部３１の屋内側正面図、図３は外壁部３１の縦断面図、図４は外壁部３１の横断面図である。なお、図２においては、天井面材２８よりも上方に配置された天井大梁２２等の図示を省略している。また、図３においては、（ａ）に図２のＡ−Ａ線断面図を示し、（ｂ）に図２のＢ−Ｂ線断面図を示す。図４においては、図２のＣ−Ｃ線断面図を示す。
【００４２】
図２に示すように、外壁部３１には、サッシ枠３３に加えて窓枠３４が設けられている。窓枠３４は、サッシ枠３３の屋内側に配置されており、窓枠３４とサッシ枠３３とは壁厚み方向において重なった状態になっている。窓枠３４は、木材や合成樹脂材料などによりサッシ枠３３とほぼ同じ大きさ及び形状の矩形枠状に形成されており、ビス等によりサッシ枠３３に固定されている。また、窓枠３４は、サッシ枠３３と同様に、一対の縦枠部３４ａ、上枠部３４ｂ及び下枠部３４ｃを有している。
【００４３】
なお、窓部３２は、居間等の居住空間４１（図３参照）に設けられている。天井面材２８は、石膏ボード等により形成されており、居住空間４１と、その居住空間４１の上方に設けられた天井裏空間４２とを上下に仕切っている。また、居住空間４１の下方には床下空間４３が設けられている。
【００４４】
図３（ａ）に示すように、外壁部３１は、屋外側に配置された外壁パネル４５と、居住空間４１側に配置された内壁パネル４６とを有している。外壁パネル４５は、外壁面を形成する外壁面材５１と、その外壁面材５１を支持する外壁下地としての外壁フレーム５２とを有している。外壁面材５１は、サイディングボード等の外装材により形成されており、外壁フレーム５２を介して天井大梁２２や床大梁２３に固定されている。外壁フレーム５２は、外壁面材５１の幅方向に沿って延びている横フレーム材５３と、上下方向に沿って延びている縦フレーム材５４とを有している。横フレーム材５３は、所定の間隔で上下に複数並べて設けられている。
【００４５】
内壁パネル４６は、内壁面を形成する内壁面材５５と、その内壁面材５５を支持する内壁下地５６とを有している。内壁面材５５は、石膏ボード等の内装材により形成されており、内壁下地５６を介して外壁フレーム５２や天井大梁２２、床大梁２３に固定されている。内壁下地５６は、内壁面材５５の幅方向に沿って延びている下地横材５７と、上下方向に沿って延びている下地縦材５８（図４参照）とを有している。下地横材５７は、所定の間隔で上下に複数並べて設けられており、下地縦材５８は、所定の間隔で横並びに設けられている。
【００４６】
外壁部３１においては、外壁面材５１と内壁面材５５とが互いに離間して設けられた一対の壁面材に相当する。外壁面材５１と内壁面材５５との間にはグラスウール等の壁断熱部６１が設けられており、壁断熱部６１は、内壁面材５５の屋外側面に沿って延びている。壁断熱部６１は、外壁面材５１から屋内側に離間しており、その離間部分が壁内空間６２になっている。この場合、外壁フレーム５２は壁内空間６２に設置されていることになる。
【００４７】
なお、サッシ枠３３や窓枠３４を挟まずに隣り合っている柱２１の間においては、壁内空間６２が、天井裏空間４２と床下空間４３とを通気可能に連通する通気部になっている。一方、詳細は後述するが、サッシ枠３３や窓枠３４を挟んで隣り合っている柱２１の間においては、壁内空間６２が外壁面材５１と壁断熱部６１との通気を可能にする通気部にはなっていない。
【００４８】
居住空間４１の上方には、天井面材２８を含んで構成された天井部６５が設けられている。天井部６５においては、天井面材２８が野縁６６を介して天井大梁２２に固定されている。野縁６６は、天井面材２８と天井大梁２２との間に配置されており、天井大梁２２の長手方向に沿って延びている。この場合、野縁６６は、天井面材２８と天井大梁２２とで挟まれた状態になっている。ここで、天井面材２８は内壁面材５５の上方に配置されており、天井面材２８と内壁面材５５との関係については天井勝ちの状態になっている。なお、野縁６６は天井下地を構成しており、天井大梁２２が梁材に相当する。
【００４９】
図３（ｂ）に示すように、外壁パネル４５において複数の横フレーム材５３には、サッシ枠３３の上方に設けられた上方下地材としての上方横フレーム材５３ａが含まれている。上方横フレーム材５３ａは、サッシ枠３３の上枠部３３ｂに沿って延びており、その上枠部３３ｂと上下に重なる位置に配置されている。上方横フレーム材５３ａは、サッシ枠３３を挟んで隣り合う柱２１に掛け渡されており、それら柱２１を連結している。この場合、上方横フレーム材５３ａは、外壁面材５１と壁断熱部６１との離間部分を上下に仕切っており、それによって、壁内空間６２が天井裏空間４２と床下空間４３とを連通しない構成になっている。
【００５０】
外壁部３１においては、窓枠３４が天井面材２８から下方に離間しており、その離間部分にも内壁面材５５が設けられている。ここで、複数の下地横材５７には、天井面材２８の下面に沿って延びる下地横材５７ａと、窓枠３４の上枠部３４ｂの上面に沿って延びる下地横材５７ｂとが含まれており、窓枠３４の上枠部３４ｂは下地横材５７ｂにビス等により固定されている。下地横材５７ａ，５７ｂのうち上側の下地横材５７ａは、壁幅方向において窓枠３４の側方に突出している。
【００５１】
建物ユニット２０の各天井大梁２２には、屋外側に配置された屋外側大梁２２ａが含まれている。屋外側大梁２２ａは、外壁部３１に沿って延びており、内壁面材５５よりも屋外側に配置されている。この場合、屋外側大梁２２ａは、天井裏空間４２の周縁部に沿って延びていることになる。また、壁厚み方向において、屋外側大梁２２ａと内壁面材５５とは互いに離間している。なお、屋外側大梁２２ａにおいては、その下面が天井面材２８の上面と対向した状態になっている。
【００５２】
屋外側大梁２２ａには、上方横フレーム材５３ａが天井面材２８及び野縁６６を介して固定されている。上方横フレーム材５３ａには、その上方横フレーム材５３ａと天井面材２８とを連結する連結ブラケット６８が取り付けられている。連結ブラケット６８は、断面Ｌ字状の長尺部材とされており、上方横フレーム材５３ａに沿って延びている。連結ブラケット６８は、上方横フレーム材５３ａの屋内側面に重なる縦部分と、天井面材２８の下面に重なる横部分とを有しており、横部分がビス等により天井面材２８を介して野縁６６に固定されている。この場合、連結ブラケット６８は、上方横フレーム材５３ａと天井面材２８とに掛け渡されており、それら上方横フレーム材５３ａと天井面材２８との間の隙間を塞いだ状態になっている。なお、外壁パネル４５においては、連結ブラケット６８が天井側固定部に相当する。
【００５３】
図２の説明に戻り、外壁部３１には電気配線Ｅを居住空間４１側に引き出すことが可能な配線引き出し部７１が設けられている。配線引き出し部７１は、内壁面材５５に設けられた孔であり、配線引き出し部７１には、コンセント等の壁付き機器７２が取り付けられている。電気配線Ｅは、天井裏空間４２から外壁部３１の内部に引き込まれており、その先端部分が壁付き機器７２に接続されている。なお、配線引き出し部７１は、窓部３２の下方に配置されている。
【００５４】
電気配線Ｅは、柱２１と窓部３２との間の隙間を通って、天井裏空間４２と配線引き出し部７１とに掛け渡された状態になっている。ここで、天井裏空間４２から外壁部３１の内部に電気配線Ｅを引き込む場合、天井大梁２２のウェブに孔を形成し、その孔を通すことで電気配線Ｅを天井裏空間４２から壁内空間６２に引き出すことが考えられるが、サッシ枠３３の上方においては上方横フレーム材５３ａにより壁内空間６２が上下に仕切られているため、電気配線Ｅをサッシ枠３３の側方領域に引き込むことができない。
【００５５】
そこで、本実施形態では、図３（ａ）に示すように、天井面材２８に配線孔７５が形成されており、その配線孔７５を通じて電気配線Ｅが天井裏空間４２から外壁部３１の内部に引き込まれている。配線孔７５は、壁厚み方向において屋外側大梁２２ａと内壁面材５５との間に配置されている。このため、電気配線Ｅを通すための孔を屋外側大梁２２ａや上方横フレーム材５３ａに形成する必要がない。また、配線孔７５は壁断熱部６１と上下に重なる位置に配置されており、壁断熱部６１は配線孔７５を屋外側及び下方から覆った状態になっている。ちなみに、配線孔７５は円形状になっている。
【００５６】
図４に示すように、電気配線Ｅは、窓部３２と柱２１との間の隙間を上下方向に延びた状態で敷設されている。窓部３２と柱２１との間の隙間のうち、サッシ枠３３と柱２１との間の隙間においては、縦フレーム材５４が配置されており、電気配線Ｅを通すスペースを確保することが困難に成っている。
【００５７】
一方、窓枠３４と柱２１との間の隙間においては、下地縦材５８及び壁断熱部６１が配置されているものの、電気配線Ｅを通すことが可能になっている。窓枠３４の縦枠部３４ａは、ビス等により下地縦材５８に固定されており、その下地縦材５８と柱２１との間に壁断熱部６１が設けられている。電気配線Ｅは、壁断熱部６１と内壁面材５５との間に通されており、壁断熱部６１により屋外側から覆われた状態になっている。
【００５８】
配線孔７５は、窓部３２と柱２１との間の隙間の上方位置、すなわち、建物ユニット２０の柱２１寄りの位置に配置されている。この場合、配線孔７５は、天井面材２８の隅角部分に対して設けられていることになる。
【００５９】
ここで、配線孔７５に通された電気配線Ｅが、外壁部３１の配線引き出し部７１から引き出されることなどにより下方に向けて引っ張られた場合、電気配線Ｅが天井面材２８における配線孔７５の周辺部分に接触することで、天井面材２８の上面が傷付いたり破損したりすることが懸念される。しかも、配線孔７５が天井面材２８の隅角部分に配置されているため、天井面材２８の隅角部分が欠けやすいことも懸念される。
【００６０】
これに対して、本実施形態では、天井面材２８を保護する保護板部７６が配線孔７５に対して設けられている。ここでは、天井面材２８の保護構造について、図３、図５を参照しつつ説明する。図５は保護板部７６周辺の斜視図である。
【００６１】
図３、図５に示すように、保護板部７６は天井面材２８の上に載せられている。保護板部７６の下面は天井面材２８の上面に重ねられており、それら下面と上面とは接着剤や両面テープ等により互いに接合されている。この場合、天井面材２８の上面に対しては保護板部７６の下面全体が接合部分になっている。保護板部７６は、配線孔７５を上方から覆う状態で設けられており、配線孔７５に通じる連通孔７７を有している。連通孔７７は、配線孔７５の上方に配置されており、配線孔７５と同じ大きさ及び形状を有している。連通孔７７は、その中心軸が配線孔７５の中心軸に一致する位置に配置されている。この場合、連通孔７７と配線孔７５とは上下に重なっており、連通孔７７の全ての部分が配線孔７５に含まれている。なお、電気配線Ｅは、配線孔７５に加えて連通孔７７に通されている。
【００６２】
保護板部７６は、木材により矩形状に形成されており、天井面材２８の上において野縁６６と横並びに配置されている。この場合、保護板部７６は、屋外側大梁２２ａよりも居住空間４１側に配置されていることになる。保護板部７６は、その側端面が野縁６６の側端面に重なる位置に配置されており、保護板部７６と野縁６６との境界部分を跨ぐように釘７８が打ち込まれている。釘７８は、保護板部７６の上面から野縁６６の側端面に向けて斜めに打ち込まれており、それら保護板部７６を野縁６６に対して固定している。また、保護板部７６は野縁６６と同じ厚み寸法を有している。さらに、保護板部７６は、長辺と短辺とを有しており、長辺が屋外側大梁２２ａに沿って延びる向きで設置されている。
【００６３】
建物ユニット２０においては、屋外側大梁２２ａに加えて、その屋外側大梁２２ａに直交している直交大梁２２ｂが複数の天井大梁２２に含まれており、それら屋外側大梁２２ａ及び直交大梁２２ｂは１つの柱２１に接続されている。なお、屋外側大梁２２ａが屋外側梁材に相当し、直交大梁２２ｂが直交梁材に相当する。
【００６４】
野縁６６には、屋外側大梁２２ａの下側に設けられた第１野縁６６ａと、直交大梁２２ｂの下側に設けられた第２野縁６６ｂとが含まれている。第１野縁６６ａは、屋外側大梁２２ａの長手方向に沿って延びており、第２野縁６６ｂは、直交大梁２２ｂの長手方向に沿って延びている。
【００６５】
保護板部７６は、屋外側大梁２２ａと直交大梁２２ｂとの入隅部分に配置されており、第１野縁６６ａ及び第２野縁６６ｂの両方と横並びに配置されている。保護板部７６においては、互いに直交する側端面のうち一方の側端面が第１野縁６６ａの側端面に重ねられており、他方の側端面が第２野縁６６ｂの側端面に重ねられている。釘７８は、保護板部７６と第１野縁６６ａとの境界部分、及び保護板部７６と第２野縁６６ｂとの境界部分のそれぞれに対して打ち込まれている。なお、屋外側大梁２２ａの下側に設けられた野縁６６を第２野縁と称してもよく、直交大梁２２ｂの下側に設けられた野縁６６を第１野縁と称してもよい。
【００６６】
保護板部７６は、壁厚み方向において内壁面材５５を跨いだ状態になっている。保護板部７６においては、その一端が内壁面材５５よりも居住空間４１側に配置され、他端が内壁面材５５よりも屋外側に配置されている。ここで、保護板部７６の全体が内壁面材５５よりも屋外側に配置されている構成では、天井面材２８における内壁面材５５よりも屋外側の部分に、内壁面材５５の上端を支点として下向きの荷重が保護板部７６から加えられることなどにより、天井面材２８が破損しやすくなることが懸念される。これに対して、本実施形態のように、保護板部７６が内壁面材５５を屋内外方向に跨いでいる構成では、保護板部７６からの荷重を内壁面材５５を跨いで屋内外両側に分散させることができる。
【００６７】
天井面材２８及び保護板部７６に配線孔７５及び連通孔７７を形成する手順について、簡単に説明する。まず、天井面材２８に配線孔７５を形成するよりも前に天井面材２８の上に保護板部７６を載置し、その保護板部７６を天井面材２８及び野縁６６に対して固定する。その後、天井裏空間４２において電動工具等を用いて上方から保護板部７６及び天井面材２８に孔をまとめて形成する。この場合、保護板部７６に形成された孔が連通孔７７であり、天井面材２８に形成された孔が配線孔７５である。
【００６８】
ここで、天井面材２８の下側において、配線孔７５を形成する位置の下方に下地横材５７ａが存在していることがあるが、その下地横材５７ａについては、保護板部７６及び天井面材２８に孔を形成する際にその孔（配線孔７５及び連通孔７７）に重なる部分を切り取る。これにより、下地横材５７ａが支障となって電気配線Ｅを天井裏空間４２から外壁部３１内に引き込むことができないということを回避できる。
【００６９】
なお、配線孔７５及び連通孔７７をまとめて形成するのではなく、保護板部７６を天井面材２８の上に設置する前に、天井面材２８に配線孔７５を形成する作業と、保護板部７６に連通孔７７を形成する作業とを別々に行っておき、天井面材２８の上において、連通孔７７が配線孔７５に上下に重なる位置に保護板部７６を設置するという作業手順であってもよい。
【００７０】
以上詳述した本実施形態によれば、以下の優れた効果が得られる。
【００７１】
天井面材２８の配線孔７５と、天井面材２８の上に重ねられた保護板部７６の連通孔７７とが上下に連通しているため、配線孔７５を通じて天井裏空間４２から下方に引き出されている電気配線Ｅが、配線孔７５の周辺において天井面材２８の上面に接触することを保護板部７６により抑制できる。したがって、天井面材２８について、電気配線Ｅが貫通してる部分及びその周辺を好適な状態で維持することができる。
【００７２】
連通孔７７及び配線孔７５は、連通孔７７と上下に重なる位置に天井面材２８がはみ出さないように設けられているため、配線孔７５の内周面に電気配線Ｅが接触することを抑制できる。
【００７３】
保護板部７６の下面と天井面材２８の上面とが接着剤等により接合されているため、天井面材２８における配線孔７５の周辺部分の一部が電気配線Ｅとの接触などにより欠けるということを抑制できる。
【００７４】
保護板部７６が野縁６６に固定されていることで、保護板部７６と天井面材２８とが野縁６６を介して連結されているため、保護板部７６の位置が天井面材２８の配線孔７５に対して水平方向にずれることを防止でキス。また、保護板部７６の荷重が天井面材２８と野縁６６とに分散されるため、保護板部７６から天井面材２８にかかる荷重負担を低減できる。
【００７５】
天井面材２８と天井大梁２２との間に挟まれた状態になっている野縁６６に保護板部７６が固定されているため、保護板部７６を天井大梁２２に対して強固に固定できる。これにより、保護板部７６による天井面材２８の配線孔７５に対する補強状態を好適なものにできる。
【００７６】
天井面材２８の隅角部分に対して設けられた保護板部７６が、第１野縁６６ａ及び第２野縁６６ｂの両方に固定されているため、天井面材２８の隅角部分に配線孔７５が配置された構成において、その隅角部分が書けるということを保護板部７６により抑制できる。
【００７７】
天井面材２８の配線孔７５から引き出された電気配線Ｅが外壁部３１の内部に引き込まれている構成において、その外壁部３１に配線引き出し部７１が形成されている場合、配線引き出し部７１から電気配線Ｅが引き出されることで、その電気配線Ｅから天井面材２８における配線孔７５の周辺部分に荷重がかかることになるが、保護板部７６がその荷重から天井面材２８を好適に保護することができる。
【００７８】
壁厚み方向において、天井面材２８の配線孔７５が屋外側大梁２２ａと内壁面材５５との間に配置されているため、電気配線Ｅを通すための孔を屋外側大梁２２ａに形成する必要がない。この場合、電気配線Ｅを屋外側大梁２２ａ（天井裏空間４２）よりも屋外側に引き出す必要がないため、天井裏空間４２に天井断熱材が設置されている構成において、電気配線Ｅが天井断熱材を屋内外に貫通してその天井断熱材による断熱効果が低下するということを抑制できる。また、保護板部７６を屋外側大梁２２ａよりも屋内側に配置することが可能になるため、例えば、保護板部７６を屋外側大梁２２ａと上下に重なる位置に配置する場合に比べて、保護板部７６の設置作業や連通孔７７の形成作業を容易化できる。
【００７９】
壁厚み方向において、サッシ枠３３の上方に配置された上方横フレーム材５３ａと内壁面材５５との間に配線孔７５が配置されているため、電気配線Ｅを通すための孔を上方横フレーム材５３ａに形成する必要がない。したがって、その孔によって上方横フレーム材５３ａの強度が低下するということを回避できる。また、上方横フレーム材５３ａに固定された連結ブラケット６８が、天井面材２８を介して屋外側大梁２２ａの下面に固定されている構成であっても、連結ブラケット６８よりも屋内側に配線孔７５が配置されていることで、その配線孔７５を通して電気配線Ｅを天井裏空間４２から下方に引き出すことができる。
【００８０】
配線孔７５が壁断熱部６１の上方に配置されているため、電気配線Ｅを、壁内空間６２に露出させることなく壁断熱部６１よりも居住空間４１側に回し込むことができる。この場合、電気配線Ｅが壁断熱部６１を壁厚み方向に横断することがないため、電気配線Ｅにより壁断熱部６１の断熱性能が低下するということを抑制できる。
【００８１】
［他の実施形態］
本発明は上記実施形態の記載内容に限定されず、例えば次のように実施されてもよい。
【００８２】
（１）上記実施形態では、保護板部７６の連通孔７７が天井面材２８の配線孔７５と同じ大きさ及び形状とされていたが、連通孔７７は配線孔７５より小さくてもよい。この場合でも、連通孔７７は、その連通孔７７の全ての部分が配線孔７５に含まれる位置に配置されることが好ましい。
【００８３】
（２）上記実施形態では、連通孔７７の全ての部分が配線孔７５に含まれていたが、配線孔７５が連通孔７７よりも内側にはみ出していてもよい。配線孔７５が連通孔７７よりも内側にはみ出している構成としては、連通孔７７と配線孔７５とがそれぞれの中心軸が一致しない位置に配置された構成や、連通孔７７の形状や大きさが配線孔７５とは異なっている構成が挙げられる。これらの構成では、配線孔７５の内周面のうち上端部分に電気配線が接触することは懸念されるが、保護板部７６により配線孔７５の周辺において天井面材２８の上面を電気配線Ｅから保護することはできる。
【００８４】
（３）上記実施形態では、保護板部７６の下面と天井面材２８の上面とが接合されていたが、保護板部７６は天井面材２８に対してビス等の固定具により固定されていてもよい。ただし、この場合は、固定具が打ち込まれている部分が保護板部７６の面に沿って点在することになり、天井面材２８において、保護板部７６が重ねられている部分の全体がその保護板部７６により補強された状態にはならない。
【００８５】
（４）保護板部７６と野縁６６とは互いの側端面同士が接着剤等により接合されていてもよい。また、保護板部７６は、天井面が延びている方向において、野縁６６から離間した位置に配置されていてもよい。この場合は、保護板部７６を野縁６６に固定することはできないが、保護板部７６の設置位置において天井面材２８をその保護板部７６により保護することにはなる。
【００８６】
（５）上記実施形態では、保護板部７６が天井大梁２２よりも屋内側に配置されていたが、保護板部７６は、その少なくとも一部が天井大梁２２と上下に重なる位置に配置されていてもよい。つまり、保護板部７６が、天井大梁２２と天井面材２８との間に入り込んだ状態になっていてもよい。
【００８７】
また、野縁６６が保護板部とされていてもよい。例えば、野縁６６が屋外側大梁２２ａよりも屋内側にはみ出しており、そのはみ出した部分が配線孔７５と上下に重なる位置に配置された構成とする。この場合、野縁６６における配線孔７５と重なる位置に連通孔７７が設けられていることにより、配線孔７５の周辺において天井面材２８の上面を保護するという保護板部の役割を野縁６６が果たすことになる。
【００８８】
（６）保護板部７６は、第１野縁６６ａに沿って延びる辺と、第２野縁６６ｂに沿って延びる辺とを有していれば、矩形状でなくてもよい。また、保護板部７６の厚み寸法は、野縁６６の厚み寸法と同じでなくてもよい。
【００８９】
（７）上記実施形態では、天井大梁２２の下側に設けられた野縁６６ａ，６６ｂに横並びに保護板部７６が配置されていたが、保護板部７６は、天井小梁２５の下側に設けられた野縁６６に横並びに配置されていてもよく、この野縁６６に固定されていてもよい。
【００９０】
（８）上記実施形態では、野縁６６が天井面材２８と梁材としての天井大梁２２との間に挟まれた状態になっていたが、野縁６６は、梁材から下方に離間した位置に設けられていてもよい。例えば、野縁６６が吊木などにより吊り下げられた状態で上方から支持されており、保護板部７６が野縁６６に横並びに配置された構成とする。また、野縁６６が野縁受けを介して吊木に固定されている場合、保護板部７６が野縁受けに横並びに配置された構成とする。いずれの構成でも、保護板部７６が天井下地に横並びに配置されていることになる。
【００９１】
（９）上記実施形態では、第１野縁６６ａ及び第２野縁６６ｂが天井大梁２２に沿って延びる位置に設けられていたが、これら野縁６６ａ，６６ｂのうち少なくとも一方が、天井小梁２５に沿って延びる位置に設けられていてもよい。例えば、互いに直交する２つの梁材が、１つの天井大梁２２及びその天井大梁２２に連結された天井小梁２５とされており、それら天井大梁２２及び天井小梁２５のうち一方に沿って延びるように第１野縁６６ａが設けられ、他方に沿って延びるように第２野縁６６ｂが設けられた構成とする。この構成でも、天井大梁２２と天井小梁２５との入隅部分に配線孔７５及び保護板部７６が配置されている場合、その保護板部７６は、第１野縁６６ａ及び第２野縁６６ｂの両方と横並びに配置されていることになる。
【００９２】
（１０）上記実施形態では、サッシ枠３３と柱２１との間の隙間の上方位置に配線孔７５が配置されていたが、配線孔７５は、前記隙間とは上下に重ならない位置に配置されていてもよい。例えば、配線孔７５が、サッシ枠３３の上方に配置された構成とする。この場合でも、配線孔７５を通して下方に引き出した電気配線Ｅをサッシ枠３３の側方位置に回し込むように敷設することで、その電気配線Ｅをサッシ枠３３と柱２１との間に通すことができる。
【００９３】
この場合、保護板部７６は、配線孔７５の位置に合わせて、柱２１から離間した位置に配置されることになる。また、保護板部７６は、配線孔７５の位置に合わせて、屋外側大梁２２ａ等の天井大梁２２から屋内側に離間した位置に配置されていてもよい。
【００９４】
（１１）上記実施形態では、外壁部３１において、配線引き出し部７１が内壁面材５５に設けられていたが、配線引き出し部７１は、外壁面材５１に設けられていてもよい。
【００９５】
（１２）上記実施形態では、天井面材２８の配線孔７５が外壁部３１の上方に配置されていたが、間仕切壁の上方に配置されていてもよい。要は、配線孔７５が壁体の上方に配置されていてればよい。これにより、電気配線Ｅを天井裏空間４２から配線孔７５を通じて壁部の内部に引き込むことが可能になる。
【００９６】
（１３）上記実施形態では、天井面材２８の配線孔７５が外壁部３１等の壁部の上方に配置されていたが、配線孔７５は、壁部の外側に配置されていてもよい。例えば、配線孔７５が内壁面材５５よりも居住空間４１側に配置された構成とする。この構成では、配線孔７５を通じて天井裏空間４２から居住空間４１に引き出された電気配線Ｅを覆う配線ダクト等のカバー部材が、配線孔７５の下方に設けられていることが好ましい。
【００９７】
（１４）上記実施形態では、窓部３２を壁開口部としたが、玄関口等の出入口を壁開口部としてもよい。この場合、壁開口部が出入口とされている場合、出入口に設けられたドア枠等がサッシ枠に相当することになる。
【符号の説明】
【００９８】
２２…梁材としての天井大梁、２２ａ…梁材及び屋外側梁材としての屋外側大梁、２２ｂ…梁材及び直交梁材としての直交大梁、２８…天井面材、３１…壁部としての外壁部、３２…壁開口部としての窓部、３３…サッシ枠、４１…居住空間、４２…天井裏空間、５１…壁面材としての外壁面材、５３ａ…上方下地材としての上方横フレーム、５５…壁面材としての内壁面材、６１…壁断熱部、６２…壁内空間、６６…天井下地を構成する野縁、６６ａ…第１野縁としての第１野縁、６６ｂ…第２野縁としての第２野縁、６８…天井側固定部としての連結ブラケット、７１…配線引き出し部、７５…配線孔、７６…保護板部、７７…連通孔、Ｅ…電気配線。
【図１】
2014169594.tif 000003
【図２】
2014169594.tif 000004
【図３】
2014169594.tif 000005
【図４】
2014169594.tif 000006
【図５】
2014169594.tif 000007